【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
局から節電ポール（ＰＳ−Ｐｏｌｌ）フレームを受信することと、
前記ＰＳ−Ｐｏｌｌフレームに応答して、メディアアクセス制御（ＭＡＣ）プロトコルデータユニット（ＭＰＤＵ）を前記局に送信することと、
前記ＭＰＤＵの肯定応答が前記局から受信されているかどうかを決定することと、
前記ＭＰＤＵが受信されているという、前記局からの前記肯定応答がない場合、前記局に対する前記ＭＰＤＵの再送信を防止することと
を備える、ワイヤレス通信のための方法。
【請求項２】
前記局に関するデータ送信レートは、前記ＭＰＤＵが受信されているという、前記局からの前記肯定応答がない場合、調整されないままである、請求項１に記載の方法。
【請求項３】
前記局に関する前記データ送信レートは、設定された数の再送信に関して前記ＭＰＤＵが受信されているという、前記局からの前記肯定応答がない場合、調整されないままであり、前記設定された数の再送信に続いて調整される、請求項２に記載の方法。
【請求項４】
前記ＭＰＤＵ再送信のうちの１つに対する肯定応答を前記局から受信することと、
前記ＭＰＤＵ再送信肯定応答に応答して、前記局に関する前記データ送信レートを調整することと
をさらに備える、請求項２に記載の方法。
【請求項５】
調整することは、少なくとも１つの非肯定応答ＭＰＤＵ送信に応答して、レート適応表を更新することを備える、請求項４に記載の方法。
【請求項６】
送信チャネルのチャネル状態により、前記肯定応答が受信されていないと決定することと、
前記チャネル状態に応答して、前記局に関するデータ送信レートを調整することと
をさらに備える、請求項１に記載の方法。
【請求項７】
限られた数の再送信を送信することに続いて、前記局がネットワークスリープに入ったと想定すること
をさらに備える、請求項１に記載の方法。
【請求項８】
前記ＭＰＤＵを送信するのに先立って、前記ＰＳ−Ｐｏｌｌフレームが受信されているという肯定応答を前記局に送信すること
をさらに備える、請求項１に記載の方法。
【請求項９】
前記ＭＰＤＵは、前記ＰＳ−Ｐｏｌｌフレームに応答した、前記局に対する複数の統合ＭＰＤＵを備えた統合メディアアクセス制御プロトコルデータユニット（Ａ−ＭＰＤＵ）を備え、前記複数の統合ＭＰＤＵは、各々が、モアデータが前記局に送信されるべきかどうかを示すためのインジケータビットを備える第１のＭＰＤＵと最後のＭＰＤＵとを少なくとも備え、前記第１のＭＰＤＵの前記インジケータビットは、モアデータを示すように設定され、前記最後のＭＰＤＵの前記インジケータビットは、何の追加のデータも送信されるべきでないことを示すためにクリアされる、請求項１に記載の方法。
【請求項１０】
前記Ａ−ＭＰＤＵを送信するのに先立って、ショートフレーム間スペース（ＳＩＦＳ）に続いて前記ＰＳ−Ｐｏｌｌフレームが受信されているという肯定応答を前記局に送信すること
をさらに備える、請求項９に記載の方法。
【請求項１１】
局から節電ポール（ＰＳ−Ｐｏｌｌ）フレームを受信するための手段と、
前記ＰＳ−Ｐｏｌｌフレームに応答して、メディアアクセス制御（ＭＡＣ）プロトコルデータユニット（ＭＰＤＵ）を前記局に送信するための手段と、
前記ＭＰＤＵの肯定応答が前記局から受信されているかどうかを決定するための手段と、
前記ＭＰＤＵが受信されているという、前記局からの前記肯定応答がない場合、前記局に対する前記ＭＰＤＵの再送信を防止するための手段と
を備える、ワイヤレス通信のための装置。
【請求項１２】
前記局に関するデータ送信レートは、前記ＭＰＤＵが受信されているという、前記局からの前記肯定応答がない場合、調整されないままである、請求項１１に記載の装置。
【請求項１３】
前記ＭＰＤＵ再送信のうちの１つに対する肯定応答を前記局から受信するための手段と、
前記ＭＰＤＵ再送信肯定応答に応答して、前記局に関する前記データ送信レートを調整するための手段と
をさらに備える、請求項１２に記載の装置。
【請求項１４】
前記ＭＰＤＵは、前記ＰＳ−Ｐｏｌｌフレームに応答した、前記局に対する複数の統合ＭＰＤＵを備えた統合メディアアクセス制御プロトコルデータユニット（Ａ−ＭＰＤＵ）を備え、前記複数の統合ＭＰＤＵは、各々が、モアデータが前記局に送信されるべきかどうかを示すためのインジケータビットを備える第１のＭＰＤＵと最後のＭＰＤＵとを少なくとも備え、前記第１のＭＰＤＵの前記インジケータビットは、モアデータを示すように設定され、前記最後のＭＰＤＵの前記インジケータビットは、何の追加のデータも送信されるべきでないことを示すためにクリアされる、請求項１１に記載の装置。
【請求項１５】
請求項１乃至１０のうちのいずれか一項に記載の方法を実施するための命令を備える、コンピュータプログラム。
【手続補正２】
【補正対象書類名】明細書
【補正対象項目名】０１３８
【補正方法】変更
【補正の内容】
【０１３８】
[0164]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についてのいかなる優先をも暗示することはなく、または要求することもない。したがって、本開示は、本明細書で説明した例および設計に限定されるべきでなく、本明細書で開示した原理および新規の特徴に合致する最も広い範囲を与えられるべきである。
以下に、本願の出願当初の特許請求の範囲に記載された発明を付記する。
［Ｃ１］
局から節電ポール（ＰＳ−Ｐｏｌｌ）フレームを受信することと、
前記ＰＳ−Ｐｏｌｌフレームに応答して、メディアアクセス制御（ＭＡＣ）プロトコルデータユニット（ＭＰＤＵ）を前記局に送信することと、
前記ＭＰＤＵの肯定応答が前記局から受信されているかどうかを決定することと、
前記ＭＰＤＵが受信されているという、前記局からの前記肯定応答がない場合、前記局に対する前記ＭＰＤＵの再送信を防止することと
を備える、ワイヤレス通信のための方法。
［Ｃ２］
前記局に関するデータ送信レートは、前記ＭＰＤＵが受信されているという、前記局からの前記肯定応答がない場合、調整されないままである、Ｃ１に記載の方法。
［Ｃ３］
前記局に関する前記データ送信レートは、設定された数の再送信に関して前記ＭＰＤＵが受信されているという、前記局からの前記肯定応答がない場合、調整されないままであり、前記設定された数の再送信に続いて調整される、Ｃ２に記載の方法。
［Ｃ４］
前記ＭＰＤＵ再送信のうちの１つに対する肯定応答を前記局から受信することと、
前記ＭＰＤＵ再送信肯定応答に応答して、前記局に関する前記データ送信レートを調整することと
をさらに備える、Ｃ２に記載の方法。
［Ｃ５］
調整することは、少なくとも１つの非肯定応答ＭＰＤＵ送信に応答して、レート適応表を更新することを備える、Ｃ４に記載の方法。
［Ｃ６］
送信チャネルのチャネル状態により、前記肯定応答が受信されていないと決定することと、
前記チャネル状態に応答して、前記局に関するデータ送信レートを調整することと
をさらに備える、Ｃ１に記載の方法。
［Ｃ７］
限られた数の再送信を送信することに続いて、前記局がネットワークスリープに入ったと想定すること
をさらに備える、Ｃ１に記載の方法。
［Ｃ８］
前記ＭＰＤＵを送信するのに先立って、前記ＰＳ−Ｐｏｌｌフレームが受信されているという肯定応答を前記局に送信すること
をさらに備える、Ｃ１に記載の方法。
［Ｃ９］
前記ＭＰＤＵは、前記ＰＳ−Ｐｏｌｌフレームに応答した、前記局に対する複数の統合ＭＰＤＵを備えた統合メディアアクセス制御プロトコルデータユニット（Ａ−ＭＰＤＵ）を備え、前記複数の統合ＭＰＤＵは、各々が、モアデータが前記局に送信されるべきかどうかを示すためのインジケータビットを備える第１のＭＰＤＵと最後のＭＰＤＵとを少なくとも備え、前記第１のＭＰＤＵの前記インジケータビットは、モアデータを示すように設定され、前記最後のＭＰＤＵの前記インジケータビットは、何の追加のデータも送信されるべきでないことを示すためにクリアされる、Ｃ１に記載の方法。
［Ｃ１０］
前記Ａ−ＭＰＤＵを送信するのに先立って、ショートフレーム間スペース（ＳＩＦＳ）に続いて前記ＰＳ−Ｐｏｌｌフレームが受信されているという肯定応答を前記局に送信すること
をさらに備える、Ｃ９に記載の方法。
［Ｃ１１］
前記Ａ−ＭＰＤＵは、前記肯定応答を前記局に送信した後、ＳＩＦＳに続いて送信される、Ｃ１０に記載の方法。
［Ｃ１２］
前記Ａ−ＭＰＤＵが受信されているという、前記Ａ−ＭＰＤＵの少なくとも１つのＭＰＤＵが成功裏に受信されなかったことを示すブロック肯定応答（ＢＡ）を前記局から受信することと、
前記局がネットワークスリープに入ったと想定することと
をさらに備える、Ｃ９に記載の方法。
［Ｃ１３］
前記局から第２のＰＳ−Ｐｏｌｌフレームを受信することと、
成功裏に受信されなかった前記少なくとも１つのＭＰＤＵからのデータを含む少なくとも１つのＭＰＤＵを備える第２のＡ−ＭＰＤＵを前記局に送信することと
をさらに備える、Ｃ１２に記載の方法。
［Ｃ１４］
前記ＢＡは、ＭＰＤＵの開始シーケンス番号と、前記開始シーケンス番号に先立って順序付けられた複数のＭＰＤＵの成功裏の受信を示すビットマップとを備える、Ｃ１２に記載の方法。
［Ｃ１５］
ブロック肯定応答（ＢＡ）が前記局から受信されていないと決定することと、
前記Ａ−ＭＰＤＵ内に含まれた追加のデータが前記局に送信されるべきであると決定することと、
第２のＡ−ＭＰＤＵを生成するために、少なくとも１つの追加のＭＰＤＵを前記Ａ−ＭＰＤＵに追加することと、
前記第２のＡ−ＭＰＤＵを前記局に送信することと
をさらに備える、Ｃ９に記載の方法。
［Ｃ１６］
局からＰＳ−Ｐｏｌｌフレームを受信するように構成された受信機と、
前記ＰＳ−Ｐｏｌｌフレームに応答して、メディアアクセス制御（ＭＡＣ）プロトコルデータユニット（ＭＰＤＵ）を前記局に送信するように構成された送信機と、
前記ＭＰＤＵの肯定応答が前記局から受信されているかどうかを決定し、前記ＭＰＤＵが受信されているという、前記局からの前記肯定応答がない場合、前記局に対する前記ＭＰＤＵの再送信を防止するように構成された節電コミュニケータと
を備える、ワイヤレス通信のための装置。
［Ｃ１７］
前記局に関するデータ送信レートは、前記ＭＰＤＵが受信されているという、前記局からの前記肯定応答がない場合、調整されない状態のままである、Ｃ１６に記載の装置。
［Ｃ１８］
前記局に関する前記データ送信レートは、設定された数の再送信に関して前記ＭＰＤＵが受信されているという、前記局からの前記肯定応答がない場合、調整されないままであり、前記設定された数の再送信に続いて調整される、Ｃ１７に記載の装置。
［Ｃ１９］
前記受信機は、前記ＭＰＤＵ再送信のうちの１つに対する肯定応答を前記局から受信するようにさらに構成され、
前記節電コミュニケータは、前記ＭＰＤＵ再送信肯定応答に応答して、前記局に関する前記データ送信レートを調整するようにさらに構成される
Ｃ１７に記載の装置。
［Ｃ２０］
調整することは、少なくとも１つの非肯定応答ＭＰＤＵ送信に応答して、レート適応表を更新することを備える、Ｃ１９に記載の装置。
［Ｃ２１］
前記節電コミュニケータは、
送信チャネルのチャネル状態により、前記肯定応答が受信されていないと決定することと、
前記チャネル状態に応答して、前記局に関するデータ送信レートを調整することとを行うようにさらに構成される、Ｃ１６に記載の装置。
［Ｃ２２］
前記節電コミュニケータは、
限られた数の再送信を送信することに続いて、前記局がネットワークスリープに入ったと想定するようにさらに構成される、Ｃ１６に記載の装置。
［Ｃ２３］
前記ＭＰＤＵは、前記ＰＳ−Ｐｏｌｌフレームに応答した、前記局に対する複数の統合ＭＰＤＵを備えた統合メディアアクセス制御プロトコルデータユニット（Ａ−ＭＰＤＵ）を備え、前記複数の統合ＭＰＤＵは、各々が、モアデータが前記局に送信されるべきかどうかを示すためのインジケータビットを備える第１のＭＰＤＵと最後のＭＰＤＵとを少なくとも備え、前記第１のＭＰＤＵの前記インジケータビットは、モアデータを示すように設定され、前記最後のＭＰＤＵの前記インジケータビットは、何の追加のデータも送信されるべきでないことを示すためにクリアされる、Ｃ１６に記載の装置。
［Ｃ２４］
前記節電コミュニケータは、
ブロック肯定応答（ＢＡ）が前記局から受信されていないと決定することと、
前記Ａ−ＭＰＤＵ内に含まれた追加のデータが前記局に送信されるべきであると決定することと、
第２のＡ−ＭＰＤＵを生成するために、少なくとも１つの追加のＭＰＤＵを前記Ａ−ＭＰＤＵに追加することとを行うようにさらに構成され、
前記送信機は、前記第２のＡ−ＭＰＤＵを前記局に送信するようにさらに構成されるＣ２３に記載の装置。
［Ｃ２５］
局から節電ポール（ＰＳ−Ｐｏｌｌ）フレームを受信するための手段と、
前記ＰＳ−Ｐｏｌｌフレームに応答して、メディアアクセス制御（ＭＡＣ）プロトコルデータユニット（ＭＰＤＵ）を前記局に送信するための手段と、
前記ＭＰＤＵの肯定応答が前記局から受信されているかどうかを決定するための手段と、
前記ＭＰＤＵが受信されているという、前記局からの前記肯定応答がない場合、前記局に対する前記ＭＰＤＵの再送信を防止するための手段と
を備える、ワイヤレス通信のための装置。
［Ｃ２６］
前記局に関するデータ送信レートは、前記ＭＰＤＵが受信されているという、前記局からの前記肯定応答がない場合、調整されないままである、Ｃ２５に記載の装置。
［Ｃ２７］
前記ＭＰＤＵ再送信のうちの１つに対する肯定応答を前記局から受信するための手段と、
前記ＭＰＤＵ再送信肯定応答に応答して、前記局に関する前記データ送信レートを調整するための手段と
をさらに備える、Ｃ２６に記載の装置。
［Ｃ２８］
前記ＭＰＤＵは、前記ＰＳ−Ｐｏｌｌフレームに応答した、前記局に対する複数の統合ＭＰＤＵを備えた統合メディアアクセス制御プロトコルデータユニット（Ａ−ＭＰＤＵ）を備え、前記複数の統合ＭＰＤＵは、各々が、モアデータが前記局に送信されるべきかどうかを示すためのインジケータビットを備える第１のＭＰＤＵと最後のＭＰＤＵとを少なくとも備え、前記第１のＭＰＤＵの前記インジケータビットは、モアデータを示すように設定され、前記最後のＭＰＤＵの前記インジケータビットは、何の追加のデータも送信されるべきでないことを示すためにクリアされる、Ｃ２５に記載の装置。
［Ｃ２９］
ブロック肯定応答（ＢＡ）が前記局から受信されていないと決定するための手段と、
前記Ａ−ＭＰＤＵ内に含まれた追加のデータが前記局に送信されるべきであると決定するための手段と、
第２のＡ−ＭＰＤＵを生成するために、少なくとも１つの追加のＭＰＤＵを前記Ａ−ＭＰＤＵに追加するための手段と、
前記第２のＡ−ＭＰＤＵを前記局に送信するための手段と
をさらに備える、Ｃ２８記載の装置。
［Ｃ３０］
局から節電ポール（ＰＳ−Ｐｏｌｌ）フレームを受信することと、
前記ＰＳ−Ｐｏｌｌフレームに応答して、メディアアクセス制御（ＭＡＣ）プロトコルデータユニット（ＭＰＤＵ）を前記局に送信することと、
前記ＭＰＤＵの肯定応答が前記局から受信されているかどうかを決定することと、
前記ＭＰＤＵが受信されているという、前記局からの前記肯定応答がない場合、前記局に対する前記ＭＰＤＵの再送信を防止することとを行うためにプロセッサによって実行可能な命令を記憶した非一時的コンピュータ可読媒体を備える
ワイヤレス通信のためのコンピュータプログラム製品。